(57)【特許請求の範囲】
【請求項１】
使用者の体表または体内の少なくとも１つのドレーン部分から流体を収集するための外科用ドレーンシステムであって、
内部チャンバーを画成する容器壁と、前記容器壁の一部に画成される収集ポートと、前記容器壁の一部に画成されているドレーンポートであって、前記ドレーンポートは、前記収集容器の前記内部チャンバー内に収集された流体が、放出されることを可能にするように構成されている、ドレーンポートとを有する、収集容器と、
収集管であって、前記少なくとも１つのドレーン部分、前記収集管の内側管腔、前記収集ポート、および前記収集容器の前記内部チャンバーが、密封状態で流体連通するように、前記使用者の前記少なくとも１つのドレーン部分に連結可能に構成されている遠位端および前記収集ポートに連結される近位端を有する、収集管と、
前記収集容器の前記内部チャンバーに負圧を充填するように構成されるポンプであって、それにより、充填されたときに、前記負圧が、前記使用者からの流体を、前記収集管の前記内側管腔を通り、前記収集ポートを通って、前記収集容器の前記内部チャンバーの中へと促す、ポンプと、
前記収集容器の前記容器壁の一部に画成される空気取入口であって、前記空気取入口は、前記収集容器の前記内部チャンバーを、外部大気と流体連通の状態にするように構成されている、空気取入口とを備え、
前記収集容器は、空気が、前記収集容器の前記内部チャンバーに入り、流体が、前記収集容器の前記内部チャンバーを出ることを同時に可能にするように構成されているドレーン機構を備え、前記ドレーン機構は、ノブおよびプランジャを備え、前記プランジャは、前記ノブが位置付けられる遠位端、前記ドレーンポートを密封可能に構成されている近位端、および前記近位端と前記遠位端との間に延在する中央部を有する、外科用ドレーンシステム。
【請求項２】
前記使用者によって装着されるように構成されるベルトをさらに備え、前記収集容器、前記収集管、および前記ポンプは、前記外科用ドレーンシステムが前記使用者によって装着可能であるように、前記ベルトに取り付け可能である、請求項１に記載の外科用ドレーンシステム。
【請求項３】
ポンプポートは、前記収集容器の前記容器壁の一部に画成される、請求項１に記載の外科用ドレーンシステム。
【請求項４】
前記ポンプによって生成される前記負圧の少なくとも一部が、ポンプコネクタの内側管腔を通り、前記収集容器の前記内部チャンバーの中へと伝達されるように、前記ポンプに連結される遠位端および前記収集容器の前記ポンプポートに連結される近位端を有する、ポンプコネクタをさらに備える、請求項３に記載の外科用ドレーンシステム。
【請求項５】
前記収集ポートは、流体が、前記収集容器の前記内部チャンバーから前記収集ポートを通って移行することを防ぐように構成される、第１の一方向弁を備える、請求項４に記載の外科用ドレーンシステム。
【請求項６】
前記ポンプは、ガスが、前記収集容器の前記内部チャンバーに望ましくなく入ることを防ぎながら、前記収集容器の前記内部チャンバーからガスが除去されることを可能にするように構成される、第２の一方向弁をさらに備える、請求項５に記載の外科用ドレーンシステム。
【請求項７】
前記使用者の体からの流体が、前記収集管の内側管腔を通り、前記収集容器の内部チャンバーの中へと移行する、請求項１に記載の外科用ドレーンシステム。
【請求項８】
前記外科用ドレーンシステムが、前記使用者に着用されるように構成されている、請求項１に記載の外科用ドレーンシステム。
【請求項９】
前記ドレーンポートに連結されるドレーン管をさらに備え、前記ドレーン管は、前記ドレーンポートを通って、前記外科用ドレーンシステムから前記収集容器の前記内部チャンバーを出るよう流体を方向付けるように構成される、請求項１に記載の外科用ドレーンシステム。
【請求項１０】
前記ドレーン部分が、前記使用者の前記体内に設置されるように構成されている、請求項１に記載の外科用ドレーンシステム。
【請求項１１】
前記外科用ドレーンシステムが、前記使用者に着用されるように構成されたベルトをさらに備える、請求項１に記載の外科用ドレーンシステム。
【請求項１２】
前記ノブの少なくとも一部は、前記収集容器の前記内部チャンバーの外側に位置付けられ、前記空気取入口を選択的に密封するように構成される、請求項１に記載の外科用ドレーンシステム。
【請求項１３】
前記プランジャの前記中央部の少なくとも一部は、前記収集容器の前記内部チャンバーを通って延在する、請求項１２に記載の外科用ドレーンシステム。
【請求項１４】
前記プランジャは、前記空気取入口が、前記ノブによって密封され、かつ前記ドレーンポートが、前記プランジャの前記近位端によって密封される、第１の密封位置と、前記ノブが、前記空気取入口から第１の所定距離を離間され、かつ前記プランジャの前記近位端が、前記ドレーンポートから前記第１の所定距離と等しい第２の所定距離を離間される、第２の開放位置との間を選択的に移動可能である、請求項１３に記載の外科用ドレーンシステム。
【請求項１５】
前記プランジャは、前記空気取入口が、前記ノブによって密封され、かつ前記ドレーンポートが、前記プランジャの前記近位端によって密封される、第１の密封位置と、前記空気取入口が、前記ノブによって密封されず、かつ前記ドレーンポートが、前記プランジャの前記近位端によって密封されない、第２の開放位置との間を選択的に移動可能である、請求項１３に記載の外科用ドレーンシステム。
【請求項１６】
前記ドレーン機構は、前記プランジャを前記第１の密封位置に促すように構成される、バイアス要素をさらに備える、請求項１５に記載の外科用ドレーンシステム。
【請求項１７】
複数のチャネルは、前記プランジャの一部に画成され、前記複数のチャネルは、流体が、前記収集容器の前記内部チャンバーから前記プランジャに入り、前記ドレーンポートを出るための経路を提供する、請求項１６に記載の外科用ドレーンシステム。
【請求項１８】
前記外科用ドレーンシステムが、前記使用者に着用されるように構成されたベルトをさらに備え、前記収集容器、前記収集管、および前記ポンプは、前記ベルトに取り付けられる、請求項１に記載の外科用ドレーンシステム。
【発明の詳細な説明】
【技術分野】
【０００１】
以下の開示は、例えば、外科用ドレーンシステムならびに手術中および手術後の使用方法を含む、医療デバイス、システム、および方法に関する。
【背景技術】
【０００２】
外科用ドレーンは、「開放式」または「閉鎖式」システムであり得る。「開放式」システムは、導管を提供して、体内から体の外側までの経路を維持する。「閉鎖式」ドレーンは、ドレーン部分および収集部分で構成される。一部分が、手術中に患者の体内に残され得、システムの収集部分に接続されて、血液または流体流出液を貯留する、種々の閉鎖式外科用ドレーンアセンブリが現在存在する。
【０００３】
通常、既存のシステムは、患者の体内に設置される単一のドレーン部分および単一のドレーン部分を受容する収集部分から成る。ここで、収集部分は、真空が、収集部分の折り畳みによって再生成され得るように、その中の流体を排除することを可能にし、また空気を収集部分から排出することを可能にするように開放され得る、閉鎖可能なポートを含有する。その後、閉鎖可能なポートは、収集部分の折り畳みを手動で維持しながら閉鎖される。
【０００４】
以下の２つの主要な種類の収集部分がある：１）その材料の組成および設計の性質上、弱い真空を生成し、収集部分を折り畳まれていない状態に戻す、折り畳み式シリコンまたはポリマー収集部分、および２）収集部分をその折り畳まれていない状態に強制的に戻す１つのバネまたは複数のバネを含有する、典型的により強い真空収集部分。
【０００５】
現在のシステムには、以下のいくつかの制限がある：１）システムを空にすることが厄介であること、２）収集部分が、吊り下げられ得るか、衣類にピンで留められ得るか、または何らかの種類の装着された「ポケット」内に保持され得ると仮定すると、収集部分の管理は、患者にとって困難であること、３）緩んだドレーン部分は、よく不注意に体から抜け、これは、皮膚を通したドレナージの制御不良につながり、高い感染のリスクを伴うこと、および４）ポートは、収集システムプロセスの再折り畳み中は開放されたままであり、折り畳まれた状態を維持しながら閉鎖されなければならないため、真空を再生成することが厄介であること。
【発明の概要】
【発明が解決しようとする課題】
【０００６】
したがって、上記のそれらの制限を含むがそれらに限定されない、従来のドレナージシステムの制限に対応することが依然として望ましい。
【課題を解決するための手段】
【０００７】
手術創ドレナージおよびドレーン管理のためのシステム、方法、および装置が、本明細書において提示される。ドレーン収集システムは、１つまたは複数のドレーン部分からの血液または流体の収集を可能にし、患者の体に装着され得、ドレーンシステムの内部の汚染の可能性を最小化する「閉鎖式」ドレナージを良好に維持するための技術を具体化する。
【０００８】
本明細書に記載の方法は、収集部分内の真空を空にし、再生成するプロセスを単純化する。
【０００９】
操作の関連する方法もまた提供される。位置デバイスの他の装置、方法、システム、特徴、および利点は、以下の図面および発明を実施するための形態を検討することにより、当業者には明らかであるか、または明らかとなるであろう。全てのそのようなさらなる装置、方法、システム、特徴、および利点は、本説明に含まれ、位置デバイスの範囲内に含まれ、添付の特許請求の範囲によって保護されるよう意図される。
【００１０】
本明細書に組み込まれ、その一部を構成する添付の図面は、本発明のある態様を例示し、限定されないが、その説明と共に本発明の原理を説明するのに役立つ。
【図面の簡単な説明】
【００１１】
【図１Ａ】一態様に従う、ドレーンシステムが、使用者の衣類の下に装着され得るか、またはシャワーもしくは着衣中に装着され得る薄型のシステムであることを例示する、体に装着されたドレーンシステムの正面図である。
【図１Ｂ】一態様に従う、ドレーンシステムが、使用者の衣類の下に装着され得るか、またはシャワーもしくは着衣中に装着され得る薄型のシステムであることを例示する、体に装着されたドレーンシステムの側面図である。
【図２】一態様に従う、別々の収集容器内に真空を発生させるためにポンプ機構が使用され、収集容器の内部に位置付けられた収集容器のドレーン機構の一部が、明確さのために例示される、ドレーンシステムの一実施形態の正面図である。
【図３Ａ】収集容器の内部および底部の一部が、明確さのために例示される、図２の収集容器の上面図である。
【図３Ｂ】収集容器の内部に位置付けられた収集容器のドレーン機構の一部が、明確さのために例示される、図２の収集容器の側面図である。
【図３Ｃ】収集容器の内部および上部が、明確さのために例示される、図２の収集容器の底面図である。
【図４Ａ】一態様に従うドレーン機構の側面図である。
【図４Ｂ】一態様に従う、線Ｂ−Ｂに沿って取られた図４Ａのドレーン機構の断面図である。
【図５】一態様に従う、ドレーンシステムが、使用者の衣類の下に装着され得るか、またはシャワーもしくは着衣中に装着され得る薄型のシステムであることを例示する、体に装着されたドレーンシステムの第２の実施形態を示す正面図である。
【図６】一態様に従う、収集容器の内部に位置付けられた収集容器のドレーン機構の一部が、明確さのために例示される、ドレーンシステムの第２の実施形態の正面図である。
【図７Ａ】収集容器の内部および底部の一部が、明確さのために例示される、図６の収集容器の上面図である。
【図７Ｂ】収集容器の内部に位置付けられた収集容器のバイアス要素の一部が、明確さのために例示される、図６の収集容器の側面図である。
【図７Ｃ】収集容器の内部および上部が、明確さのために例示される、図２の収集容器の底面図である。
【発明を実施するための形態】
【００１２】
本発明のシステムおよび装置および方法は、以下の発明を実施するための形態、例、図面、および特許請求の範囲、およびそれらの前述および以下の説明を参照することにより、より容易に理解される。しかしながら、本発明のデバイス、システム、および／または方法が開示され、説明される前に、本発明は、別途示されない限り、特定のデバイス、システム、および／または方法に限定されず、したがって、当然ながら、異なり得ることが理解されるべきである。また、本明細書で使用される用語は、特定の態様のみを説明する目的のためであり、限定するよう意図されないことも理解されるべきである。
【００１３】
本発明の以下の説明は、その最良の現在知られている実施形態における本発明の実施可能な教示として提供される。このために、当業者であれば、依然として本発明の有益な結果を得ながら、本明細書で説明される本発明の様々な態様に多くの変更がなされ得ることを認識し、理解するであろう。本発明の望ましい利点のうちのいくつかは、他の特徴を利用することなく、本発明の特徴のうちのいくつかを選択することによって、得られ得ることも明らかであろう。したがって、当業者であれば、本発明に対して多くの変更および適応が可能であり、特定の状況において望ましいことすらあり得、本発明の一部であることを認識するであろう。したがって、以下の説明は、本発明の原理を例示するものとして提供され、本発明を限定するものではない。
【００１４】
本明細書を通して使用されるとき、単数形「１つの（ａ）」、「１つの（ａｎ）」、および「前記（ｔｈｅ）」は、文脈によって別途明記されない限り、複数の参照対象を含む。したがって、例えば、「１つの（ａ）」構成要素に対する言及は、文脈によって別途示されない限り、２つ以上のそのような構成要素を含み得る。また、「近位」及び「遠位」という単語はそれぞれ、使用者または外科医等のオペレータの近くに、および使用者または外科医等のオペレータから離れて位置している物品または物品の一部を説明するために使用される。したがって、例えば、デバイスの先端または自由端は、遠位端と称され得、一方で、略対向端またはハンドルは、近位端と称され得る。
【００１５】
範囲は、「約」１つの特定の値からおよび／または「約」別の特定の値までとして本明細書で表され得る。そのような範囲が表されるとき、別の態様は、一方の特定の値からおよび／またはもう一方の特定の値までを含む。同様に、値が、先行詞「約」を用いることによって近似値として表されるとき、特定の値は、別の態様を形成することが理解される。範囲のそれぞれの終点は、もう一方の終点と関連して、およびもう一方の終点とは独立して有意であることが理解される。
【００１６】
本明細書で使用されるとき、「任意の」または「任意で」という用語は、続いて説明される事象または状況が生じ得るか、または生じ得ないことを、ならびに説明が事象または状況が起こる場合および起こらない場合を含むことを意味する。
【００１７】
本明細書で使用されるとき、「実質的に」という用語は、関係する基本的な機能に変更をもたらすことなく、異なり得ることが許可される何らかの定量的な表現を修飾するために適用され得る。
【００１８】
使用者１２の体に装着されたドレーンシステム１０は、正面図（図１Ａ）および側面図（図１Ｂ）を用いて、図１Ａおよび１Ｂに例示される。ドレーンシステムは、薄型であり得、着衣またはシャワー中に衣類なしで装着され得、かつ衣類の下に装着され得ることが容易に理解され得る。任意で、薄型のため、ドレーンシステム１０は、他の人々によって検出可能であることなく、衣類の下に装着され得る。
【００１９】
ここで図２を参照すると、一実施形態に従うドレーンシステム１０が例示される。一態様において、ドレーンシステムは、収集管１００、収集容器１０２、ベルト１０４、およびポンプ機構１０６のうちの少なくとも１つを備える。一態様において、収集管、収集容器、および／またはポンプ機構等のドレーンシステムのうちの少なくとも一部は、使用者がシステムを使用者の体に容易に着用し得るように、ベルトに取り付けられ得る。
【００２０】
一態様において、体からの流体（血液等）が、収集管１００の内側管腔を通り、収集ポートを通って収集容器１０２の内部チャンバーの中へと移行し得るように、収集管１００の遠位端は、使用者の体の一部内に、または一部に隣接して位置付けられ得、収集管の遠位端は、収集ポート１０１に連結され得る。別の態様において、収集ポート１０１は、流体の逆流を防ぐために（すなわち、流体が、収集容器から収集管を通って体内に移行するのを防ぐために）、第１の一方向弁を備え得る。
【００２１】
さらなる態様において、収集容器１０２は、ポンプ機構１０６によって、真空力が充填され得る。すなわち、ポンプ機構１０６によって生成される負圧が内部チャンバーに伝達され得るように、ポンプ機構の少なくとも一部は、収集容器の内部チャンバーと密封状態で流体連通し得る。一態様において、ポンプコネクタ１０５は、ポンプ機構１０６と収集容器との間に位置付けられ得る。例えば、ポンプコネクタの遠位端は、ポンプ機構に連結され得、ポンプコネクタ１０５の近位端は、容器壁に画成されるポンプポート１０８において収集容器に連結され得る。使用時、ポンプ機構１０６によって生成される圧力および／または真空力の少なくとも一部は、ポンプコネクタの内側管腔を通り、収集容器１０２の内部チャンバーの中へと伝達され得る。
【００２２】
一態様において、ポンプ機構は、少なくとも１つの一方向弁をさらに備え得る。この態様において、ポンプ機構が、収集容器１０２内に圧力を強いるのではなく、収集容器の内部チャンバー内に真空を生成し得るように、第２の一方向弁は、ポンプ機構１０６と収集容器１０２との間に位置付けられ得る。すなわち、第２の一方向弁は、ガスが収集容器１０２に望ましくなく入るのを防ぎながら、ガスを収集容器から除去することを可能にし得る。
【００２３】
別の態様において、第３の一方向弁１０７は、ポンプ機構１０６の一部に連結されて、ポンプが作動するときに、空気および／または他のガスがポンプ機構から大気中に逃げることを可能にし得る。ポンプ機構１０６は、必要に応じて、複数回作動して、収集容器１０２の内部チャンバー内に望ましい真空を発生させ得る。例えば、限定されないが、ポンプ機構は、ポンプ機構１０６の外側部分を押すことによって作動し得る蛇腹式ポンプを備え得る。別の例において、ポンプは、望ましい真空力を生成するように構成される電池式ポンプを備え得る。
【００２４】
使用時、ポンプ機構１０６が作動し得、それによって、収集容器１０２の内部チャンバー内に負圧を生成し得る。負圧は、体からの流体を収集容器の中へと促し得る。収集された流体は、収集容器の容器壁に画成されるドレーンポート１０３を通り、廃棄のために収集された流体をシステムから排出するか、または任意で、ドレーン出力の測定のためにコンテナ内に排出するように方向付けられ得るドレーン管１０９内に放出され得る。
【００２５】
図３Ａ〜３Ｃは、一態様に従う収集容器１０２のさらなる詳細を示す。再び、収集容器を使用者から来る収集管１００に連結するための収集ポート１０１、収集容器をポンプ機構１０６に連結するためのポンプポート１０８、および流体が収集容器を離れるドレーンポート１０３が例示される。
【００２６】
ここで図３Ａ〜３Ｃおよび４を参照すると、一態様において、収集容器１０２は、空気が収集容器の内部チャンバーに入り、同時に、流体が収集容器の内部チャンバーを離れることを可能にし得るドレーン機構１１４を備え得る。別の態様において、ドレーン機構は、ノブ１１０およびプランジャ１１３のうちの少なくとも１つを備え得る。この態様において、ノブの少なくとも一部は、収集容器の外側に位置付けられ得、収集容器１０２の壁に画成される空気取入口１１６を密封するように構成され得る。すなわち、収集容器の空気取入口は、収集容器１０２の内部チャンバーを外部大気と流体連通して設置し得、ノブ１１０の一部は、空気取入口を通る空気の流れを防ぐか、または制限するようにサイズ決定され、形作られ得る。
【００２７】
ノブ１１０は、プランジャ１１３の遠位端１１８に位置付けられ得、プランジャの近位端１２０は、収集容器に画成されるドレーンポート１０３を密封するようにサイズ決定され、形作られ得る。したがって、プランジャの中央部の少なくとも一部は、収集容器の内部チャンバーを通って延在し得る。一態様において、プランジャは、第１の密封位置と第２の非密封位置との間を選択的に移動し得る。第１の密封位置において、空気取入口１１６は、ノブ１１０によって密封され得、ドレーンポート１０３は、プランジャ１１３の近位端によって密封され得る。第２の開放位置において、ノブ１１０は、空気取入口から第１の所定距離を離間され得、プランジャの近位端１２０は、ドレーンポート１０３から第２の所定距離を離間され得る。ノブ１１０およびプランジャ１１３の近位端１２０は、直線上に整列し、同じ量を移動し得るため、第１の距離は、第２の距離と等しくなり得る。理解され得るように、第２の開放位置において、空気取入口は、プランジャ１１３の遠位端１１８においてノブ１１０によって密封されず、ドレーンポート１０３は、プランジャの近位端１２０によって密封されない。したがって、第２の開放位置において、大気からの空気は、空気取入口１１６を通って収集容器の内部チャンバーに入り得、同時に、収集容器１０２からの流体は、ドレーンポート１０３を通って排出し得る。一態様において、少なくとも１つのバネ１１１または他のバイアス要素は、プランジャを第１の閉鎖位置に促すように位置付けられ得る。すなわち、使用者が、プランジャを第２の開放位置に移動させるようにノブに力を及ぼさない限り、バネは、プランジャ１１３を閉鎖位置に維持し得る。
【００２８】
一態様において、複数のチャネル１１２は、プランジャ１１３の一部に画成され得る。この態様において、複数のチャネルは、流体が収集容器１０２の内部チャンバーからプランジャに入り、収集容器の底部においてドレーンポート１０３を出るための経路を提供し得る。
【００２９】
使用時、ポンプ機構１０６が作動して、収集容器１０２の内部チャンバー内に望ましい真空力を生成し得る。使用者１２の体からの流体は、収集管１００および収集ポート１０１を通って収集容器の内部チャンバーに入り得る。流体が、ドレーンポート１０３を通って不注意に排出しないように、バネ１１１は、プランジャ１１３を第１の閉鎖位置に位置付け得る。流体を収集容器から排出させたい場合、使用者は、プランジャが第２の開放位置に移動するように、ノブ１１０を引き得る。第２の開放位置において、ドレーンポートは、遮断されるため、内部チャンバーからの流体は、ドレーンポート１０３を通って排出し得、空気は、空気取入口１１６を通って内部チャンバーに入り得る。したがって、システムを空にすることは、容易に達成され得る。さらに、開放位置へのプランジャの不注意な移動を防ぎ得るように、バネ１１１によってプランジャに対して与えられる力が選択され得る。内部チャンバー内の真空の再生成はまた、第１の閉鎖位置にあるプランジャ１１３を用いて、ポンプ機構をさらに作動することによって、容易に達成され得る。
【００３０】
その後、使用時、ドレーン収集システム１０は、使用者の体の少なくとも１つのドレーン部分から収集容器１０２内への血液または他の流体の収集を可能にする。ドレーンシステムは、使用者１２の衣類の下に目立たなく装着され得る。さらに、一態様において、ドレーン機構１１４は、従来のドレナージシステムと比べて、ドレーンシステムの内部の汚染の可能性を最小化する「閉鎖式」システムとしてドレーンシステム１０を良好に維持する。
【００３１】
ここで図５を参照すると、ドレーンシステム３００の第２の実施形態を装着した使用者１２の正面図が例示される。一態様において、ドレーンシステムは、別々のポンプを使用することなく、負圧が充填され得る収集容器３０３を備え得る。
【００３２】
図６は、ドレーンシステム３００の第２の実施形態を例示する。この実施形態において、一態様に従い、収集容器３０３自体の一部が、折り畳まれて、真空力を発生させ得る。すなわち、収集容器の一部は、例えば、限定されないが、蛇腹ポンプ等のポンプとして作用して、望ましい真空力を生成し得る。
【００３３】
使用時、使用者１２から来る収集管３０１は、収集管３０１内への流体の逆流を防ぐために一方向弁を有し得る、収集容器に画成される収集ポート３０２において、収集容器３０３に連結され得る。空気を収集容器から逃がすための空気ポート３０５は、収集容器３０３の壁に画成され得る。収集容器は、空気が空気ポート３０５を通って内部チャンバーの中へと望ましくなく入ることを防ぎながら、空気または他の流体が、内部チャンバーを離れることを可能にするために、空気一方向弁を備え得る。収集容器３０３は、ポートを開放して空気を（空気ポート３０５または図示されていない別のポイントにおいて）容器内に入れ、ドレーンポート３０６において弁を開放して、流体がドレーン管３０４に入ることを可能にすることによって、内部チャンバー内の流体が収集容器を離れることを可能にするように排出され得る。その後、収集容器３０３は、容器の表面を押して、空気ポート３０５において空気一方向弁から空気を押し出し、それによって、望ましい負圧を生成することによって、再び充填され得る。
【００３４】
図７Ａ〜７Ｃは、一態様に従う第２の実施形態の収集容器３０３のさらなる詳細を示す。図示されるように、少なくとも１つのバネ３０７または他のバイアス要素が、収集容器３０３の内部チャンバー内に位置付けられ得る。少なくとも１つのバネは、使用者１２が、収集容器の表面を押して、内部チャンバー内に望ましい真空を生成するときに、使用者によって圧縮され得る。別の態様において、表面等の収集容器３０３の少なくとも一部は、使用者によって押下される硬い構成要素を有し得る。任意で、収集容器３０３の周りの側面および／または壁等の収集容器の少なくとも一部は、周方向に可撓性かつ圧縮可能であり得る。
【００３５】
図４Ａ〜４Ｂに例示されるドレーン機構１１４等のドレーン機構は、ノブ１１０を引き上げる単一のステップで、流出液を収集容器３０３から排出することを可能にするために、この第２の実施形態においても使用され得る。
【００３６】
使用時、ドレーン収集システム３００は、使用者１２の体の少なくとも１つのドレーン部分から収集容器３０３内への血液または他の流体の収集を可能にする。ドレーンシステムは、使用者１２の衣類の下に目立たなく装着され得る。さらに、一態様において、ドレーンシステム１０は、従来のドレナージシステムと比べて、ドレーンシステムの内部の汚染の可能性を最小化する「閉鎖式」システムである。
【００３７】
本発明のいくつかの態様が、前述の明細書に開示されているが、本発明の多くの変更および他の態様は、前述の説明および関連する図面に示される教示の利益を有する、本発明が関連する当業者に思い浮かぶことが理解される。したがって、本発明は、前述の明細書に開示された特定の態様に限定されず、多くの変更および他の態様が、添付の特許請求の範囲の範囲内に含まれるよう意図されることが理解される。さらに、特定の用語が本明細書ならびに続く特許請求の範囲で用いられているが、それらは、一般的および説明的な意味でのみ使用されており、記載された本発明の目的を限定するためではない。
【図１Ａ】
0006756719.tif 000002
【図１Ｂ】
0006756719.tif 000003
【図２】
0006756719.tif 000004
【図３Ａ】
0006756719.tif 000005
【図３Ｂ】
0006756719.tif 000006
【図３Ｃ】
0006756719.tif 000007
【図４Ａ】
0006756719.tif 000008
【図４Ｂ】
0006756719.tif 000009
【図５】
0006756719.tif 000010
【図６】
0006756719.tif 000011
【図７Ａ】
0006756719.tif 000012
【図７Ｂ】
0006756719.tif 000013
【図７Ｃ】
0006756719.tif 000014